(57)【要約】【課題】燃料の供給系を簡略化しつつ、冷間始動時の燃焼安定性を確保する。【解決手段】火花点火式エンジンは、アルコール、ガソリン、またはこれらの混合燃料により駆動される。少なくとも一部のアルコール濃度範囲では、アルコール濃度が高いほど吸気充填量が少なくなるように吸気調節手段（２５）が制御されるとともに、点火プラグ１２の近傍ほどリッチな混合気が形成されるように吸気行程と圧縮行程とに分けてインジェクタ１１から燃料を噴射させ、そのうち少なくとも吸気行程中に噴射される燃料の量が上記アルコール濃度が高いほど増大される。【選択図】図１
2014196696.tif 000002
【特許請求の範囲】
【請求項１】
気筒と、気筒内に往復摺動可能に設けられたピストンと、アルコール、ガソリン、またはこれらの混合燃料を気筒内に噴射するインジェクタと、噴射された燃料に点火する点火プラグと、気筒への吸気充填量を調節する吸気調節手段とを備えた火花点火式エンジンを制御する装置であって、
上記インジェクタに供給される燃料に含まれるアルコールの濃度を推定または検出する濃度特定部と、
エンジンの冷間運転時に、上記インジェクタ、点火プラグ、および吸気調節手段を制御する冷間運転制御部とを備え、
上記冷間運転制御部は、少なくとも一部のアルコール濃度範囲において、上記濃度特定部により特定されたアルコール濃度が高いほど吸気充填量が少なくなるように上記吸気調節手段を制御するとともに、上記点火プラグの近傍ほどリッチな混合気が形成されるように吸気行程と圧縮行程とに分けて上記インジェクタから燃料を噴射させ、そのうち少なくとも吸気行程中に噴射される燃料の量を上記アルコール濃度が高いほど増大させる、ことを特徴とする火花点火式エンジンの制御装置。
【請求項２】
請求項１記載の火花点火式エンジンの制御装置において、
上記ピストンの上面に、上記インジェクタから圧縮行程後半の特定のクランク角範囲に噴射された燃料の噴霧が入り込む凹状のキャビティが設けられるとともに、当該キャビティの上方に点火プラグが設けられた、ことを特徴とする火花点火式エンジンの制御装置。
【請求項３】
請求項１または２記載の火花点火式エンジンの制御装置において、
上記冷間運転制御部は、気筒内の平均の空燃比が理論空燃比よりもリッチになるように上記インジェクタからの燃料の噴射量を決定し、しかも上記平均空燃比の理論空燃比に対するリッチ度合いをアルコール濃度が高いほど増大させる、ことを特徴とする火花点火式エンジンの制御装置。
【発明の詳細な説明】
【技術分野】
【０００１】
本発明は、燃料としてアルコール、ガソリン、またはこれらの混合燃料が供給される火花点火式エンジンを制御する装置に関する。
【背景技術】
【０００２】
近年、地球温暖化等の環境問題を改善する視点から、植物資源（例えばサトウキビやトウモロコシ）から精製されたいわゆるバイオマスエタノールを車両用のエンジンに使用することが考案され、実用化されている。
【０００３】
バイオマスエタノールは、しばしばガソリンと混合された状態で使用される。例えば、ブラジルでは、エタノールが２５％混合されたＥ２５と呼ばれる燃料と、エタノール１００％のＥ１００と呼ばれる燃料とが主に流通している。ところが、車両を使用するユーザは、そのときどきの値段等によってどちらの燃料を給油するかを決めるため、車両の燃料タンク内の燃料は、Ｅ２５とＥ１００とが任意の割合で混合したものになる。このため、燃料中のエタノールの濃度は、給油のたびに変動し、２５％から１００％まで任意の数値を取り得る。
【０００４】
そこで、エタノール含有燃料が使用される国では、エタノール濃度が変動しても対応できるように、燃料中のエタノール濃度を推定したりその濃度推定値に応じて燃料噴射量を変更したりする等の機能を備えたエンジンが車両に搭載される。このように任意のエタノール濃度の燃料を使用可能な車両のことを、ＦＦＶ（Flexible Fuel Vehicle）という。
【０００５】
ここで、エタノールのようなアルコールを含有した燃料においては、ガソリン１００％の燃料と比べて、アルコール濃度が高いほど燃料の気化性能が悪化するという問題がある。このため、アルコール濃度の高い燃料を使用した場合には、特にエンジンの冷間始動時に、燃料が充分に気化せず、失火等を引き起こすことが懸念される。
【０００６】
このような問題を解消すべく、例えば下記特許文献１に示されるように、２種類の燃料タンクを備えた車両が考案されている。具体的に、この特許文献１に示されるＦＦＶでは、任意のエタノール濃度の燃料を貯留可能なメインタンクと、気化性能に優れたガソリン濃度の高い燃料が貯留されるサブタンクとが別々に設けられている。そして、エンジンの始動時やアイドリング運転時といった燃料が気化し難い条件のときには、サブタンクからガソリン濃度の高い燃料が供給され、それによってエンジンの始動性やアイドリング運転の安定性が確保されるようになっている。
【先行技術文献】
【特許文献】
【０００７】
【特許文献１】特開２０１０−１３３２８８号公報
【発明の概要】
【発明が解決しようとする課題】
【０００８】
上記特許文献１のように、メインタンクとは別にサブタンクを必要とするＦＦＶでは、燃料の供給系が２系統になるので、構造の複雑化やコストアップを招くことが避けられないという問題がある。しかしながら、ＦＦＶ用のエンジンでは、燃料に含まれるアルコール濃度にかかわらず、冷間時であっても安定してエンジンを始動させる必要があるので、上記のようにコストアップ等の要因となるサブタンクであっても、これを省略できなかったのが現実である。
【０００９】
本発明は、上記のような事情に鑑みてなされたものであり、燃料の供給系を簡略化しつつ、冷間始動時の燃焼安定性を確保することが可能な火花点火式エンジンの制御装置を提供することを目的とする。
【課題を解決するための手段】
【００１０】
上記課題を解決するためのものとして、本発明は、気筒と、気筒内に往復摺動可能に設けられたピストンと、アルコール、ガソリン、またはこれらの混合燃料を気筒内に噴射するインジェクタと、噴射された燃料に点火する点火プラグと、気筒への吸気充填量を調節する吸気調節手段とを備えた火花点火式エンジンを制御する装置であって、上記インジェクタに供給される燃料に含まれるアルコールの濃度を推定または検出する濃度特定部と、エンジンの冷間運転時に、上記インジェクタ、点火プラグ、および吸気調節手段を制御する冷間運転制御部とを備え、上記冷間運転制御部は、少なくとも一部のアルコール濃度範囲において、上記濃度特定部により特定されたアルコール濃度が高いほど吸気充填量が少なくなるように上記吸気調節手段を制御するとともに、上記点火プラグの近傍ほどリッチな混合気が形成されるように吸気行程と圧縮行程とに分けて上記インジェクタから燃料を噴射させ、そのうち少なくとも吸気行程中に噴射される燃料の量を上記アルコール濃度が高いほど増大させる、ことを特徴とするものである（請求項１）。
【００１１】
本発明によれば、エンジンの冷間運転時に、圧縮行程と吸気行程とに分けて燃料が噴射されることにより、点火プラグの近傍が特にリッチになる成層化された混合気が形成されるので、気筒の壁面温度が低い状態であっても、点火プラグの火花点火をきっかけに混合気を確実に着火させることができる。しかも、ガソリンよりも気化性能が悪いアルコールの濃度が高い場合には、気筒への吸気充填量が減らされるとともに、吸気行程中の燃料の噴射量が増やされるので、吸気行程中における気筒内の圧力を低下させて強い負圧を発生させながら、その環境下により多くの燃料を噴射することにより、噴射した燃料を確実に気化させることができる。さらに、高アルコール濃度時に吸気行程中の燃料の噴射量が増やされることで、圧縮行程中の噴射量については特に増大させる必要がないので、圧縮行程中の噴射期間が混合気を成層化するための適正期間を外れるのを回避することができる。これにより、着火性に有利な成層化された混合気を確実に気筒内に形成しつつ、主に吸気行程中の噴射量の調節によってアルコール濃度に応じた適切な量の燃料を噴射し、これを確実に気化させて燃焼させることができる。
【００１２】
このように、本発明の構成によれば、燃料のアルコール濃度が高かったとしても、失火を確実に防止することができるので、例えばガソリン濃度の高い燃料を貯留する専用の燃料タンクを通常の燃料タンクとは別に設けるといった措置をとらなくても、冷間始動時の燃焼安定性を充分に確保することができる。
【００１３】
本発明において、好ましくは、上記ピストンの上面に、上記インジェクタから圧縮行程後半の特定のクランク角範囲に噴射された燃料の噴霧が入り込む凹状のキャビティが設けられるとともに、当該キャビティの上方に点火プラグが設けられる（請求項２）。
【００１４】
この構成によれば、圧縮行程中に噴射される燃料の噴射期間を上記特定のクランク角範囲に収めることにより、噴射された燃料の噴霧をキャビティに入り込ませることができるので、点火プラグの周りに確実にリッチな混合気を形成し、着火性を改善することができる。
【００１５】
一方で、圧縮行程中に噴射すべき燃料量が多すぎると、噴射期間が上記特定のクランク角範囲に収まり切らなくなり、燃料の噴霧がキャビティから外れてしまうことになる。これに対し、上記構成では、アルコール濃度が高いときは吸気行程中の燃料の噴射量が増やされるので、圧縮行程中の噴射量を極端に多くする必要がない。このため、噴霧がキャビティから外れる上記のような事態を回避して、点火プラグの近傍に確実にリッチな混合気を形成することができる。
【００１６】
本発明において、好ましくは、上記冷間運転制御部は、気筒内の平均の空燃比が理論空燃比よりもリッチになるように上記インジェクタからの燃料の噴射量を決定し、しかも上記平均空燃比の理論空燃比に対するリッチ度合いをアルコール濃度が高いほど増大させる（請求項３）。
【００１７】
この構成によれば、気化性能が悪いアルコールの濃度が高ければ、これに応じて気筒内の平均空燃比が大幅にリッチにされるので、アルコール濃度にかかわらず充分な着火性を確保することができる。このことは、上述した混合気の成層化と相俟って、失火をより確実に回避することにつながるので、冷間運転時であっても充分な燃焼安定性を確保することができる。
【発明の効果】
【００１８】
以上説明したように、本発明の火花点火式エンジンの制御装置によれば、燃料の供給系を簡略化しつつ、冷間始動時の燃焼安定性を確保することができる。
【図面の簡単な説明】
【００１９】
【図１】本発明の一実施形態にかかる火花点火式エンジンの全体構成を示す図である。
【図２】燃料中のエタノール濃度と理論空燃比との関係を示すグラフである。
【図３】ＡＷＳモード実行時のスロットル開度、吸気充填量、燃料噴射量、および目標空燃比をエタノール濃度との関係で示すグラフである。
【図４】ＡＷＳモード実行時の燃料噴射のパルス幅を複数のエタノール濃度の場合について図示した説明図である。
【図５】圧縮行程中に噴射された燃料の噴霧の動きを示す説明図である。
【図６】エンジンのブースト圧、未燃燃料量、および燃焼安定性指標が、吸気充填量との関係でどのように変化するかを示したグラフである。
【発明を実施するための形態】
【００２０】
（１）エンジンの全体構成
図１は、本発明の一実施形態にかかるエンジンの全体構成を示す図である。本図に示されるエンジンは、走行用の動力源として車両に搭載される４サイクルの火花点火式エンジンである。具体的に、このエンジンは、紙面に直交する方向に列状に並ぶ複数の気筒２（図１にはそのうちの１つの気筒のみを示す）を有するエンジン本体１と、エンジン本体１に空気を導入するための吸気通路２０と、エンジン本体１で生成された排気ガスを排出するための排気通路３０と、エンジン本体１に供給される燃料を貯留する燃料タンク４０とを備えている。
【００２１】
エンジン本体１は、車両のエンジンルーム（図示省略）に配設されている。当実施形態において、車両は、エタノールとガソリンとが任意の割合で混合された燃料を使用可能なＦＦＶである。このため、燃料タンク４０に貯留されている燃料は、エタノール１００％の燃料（Ｅ１００）、ガソリン１００％の燃料（Ｅ０）、またはエタノールとガソリンとが混合された混合燃料（Ｅ１〜Ｅ９９）のいずれかである。なお、エタノール１００％の燃料（Ｅ１００）といっても、エタノールの精製過程で充分に水分が除去されていないものがあり、このような水分含有のエタノール（例えばブラジルでは５％程度の水分を含有するＥ１００が流通している）も燃料タンク４０に貯留されることがある。
【００２２】
エンジン本体１は、上記複数の気筒２が内部に形成されたシリンダブロック３と、シリンダブロック３の上部に設けられたシリンダヘッド４と、各気筒２に往復摺動可能に挿入されたピストン５とを有している。
【００２３】
ピストン５は、エンジン本体１の出力軸であるクランク軸１５とコネクティングロッド１６を介して連結されており、上記ピストン５の往復運動に応じてクランク軸１５が中心軸回りに回転するようになっている。
【００２４】
ピストン５の上方には燃焼室１０が形成されており、この燃焼室１０には、後述するインジェクタ１１からの噴射によって燃料が供給される。そして、噴射された燃料が燃焼室１０で燃焼し、その燃焼による膨張力で押し下げられたピストン５が上下方向に往復運動する。
【００２５】
各気筒２の幾何学的圧縮比、つまり、ピストン５が下死点にあるときの燃焼室１０の容積とピストン５が上死点にあるときの燃焼室１０の容積との比は、ガソリンエンジンとしては高めの値である１２．５以上２０以下に設定されている。
【００２６】
一方で、各気筒２の有効圧縮比、つまり、後述する吸気弁８の閉時期に対応する位置にピストン５があるときの燃焼室１０の容積とピストン５が上死点にあるときの燃焼室１０の容積との比は、上述した幾何学的圧縮比（１２．５〜２０）よりも小さい値になるが、当実施形態では、気化性能の悪いエタノールを充分に気化させて燃焼させるため、有効圧縮比は最小の場合でも１０以上に設定される。
【００２７】
燃焼室１０の天井面に対応するシリンダヘッド４の下面は、いわゆるペントルーフ型に形成されており、天井面の中央部から吸気側および排気側にそれぞれ延びる２つの傾斜面を有している。
【００２８】
ピストン５の上面は、上述したペントルーフ型の燃焼室１０の天井面に対応するように、周縁部から中央部に向かって隆起する隆起部を有し、この隆起部の中央部には、概ね球面状に凹陥したキャビティ１７が形成されている。ピストン５の上面がこのように隆起していることで、ピストン５が上死点に達したときの燃焼室１０の容積が小さくなり、１２．５以上の高い幾何学的圧縮比が実現されている。
【００２９】
シリンダヘッド４には、吸気通路２０から供給される空気（吸気）を各気筒２の燃焼室１０に導入するための吸気ポート６と、各気筒２の燃焼室１０で生成された排気ガスを排気通路３０に導出するための排気ポート７と、吸気ポート６の燃焼室１０側の開口を開閉する吸気弁８と、排気ポート７の燃焼室１０側の開口を開閉する排気弁９とが設けられている。
【００３０】
吸気弁８および排気弁９は、それぞれ、シリンダヘッド４に配設された一対のカム軸１８ａ，１９ａ等を含む動弁機構１８，１９により、クランク軸１５の回転に連動して開閉駆動される。
【００３１】
シリンダヘッド４には、燃焼室１０に向けて燃料を噴射するインジェクタ１１と、インジェクタ１１から噴射された燃料と空気との混合気に対し火花放電による点火エネルギーを供給する点火プラグ１２とが、各気筒２につきそれぞれ１組ずつ設けられている。
【００３２】
点火プラグ１２は、各気筒２の中心線に沿い、かつピストン５の上面のキャビティ１７を上から臨むような姿勢でシリンダヘッド４に取り付けられている。
【００３３】
インジェクタ１１は、各気筒２の吸気側の側方から燃焼室１０に向けて斜め下方に燃料を噴射し得る姿勢でシリンダヘッド４に取り付けられている。各気筒２のインジェクタ１１にはそれぞれ燃料供給管１３が接続されており、各燃料供給管１３には、燃料タンク４０に貯留された燃料が図略の高圧燃料ポンプを通じて圧送される。
【００３４】
吸気通路２０は、１本の共通通路２１（図１には紙面に直交する方向に延びる通路の断面を示す）と、共通通路２１の下流端部に接続された所定容積のサージタンク２２と、サージタンク２２から下流側に延びて各気筒２の吸気ポート６とそれぞれ連通する複数本の独立通路２３（図１にはそのうちの１本のみを示す）とを有している。
【００３５】
吸気通路２０の共通通路２１には、吸気通路２０を流通する吸気の流量を調節するための開閉可能なスロットル弁２５が設けられている。スロットル弁２５は、バタフライ式の弁本体２５ａと、弁本体２５ａを駆動する電動式のアクチュエータ２５ｂとを有している。
【００３６】
排気通路３０には、その内部を流通する排気ガス中に含まれる有害成分（ＨＣ、ＣＯ、ＮＯｘ）を浄化するための三元触媒を内蔵した触媒装置３５が設けられている。なお、詳しい図示は省略するが、排気通路３０は、各気筒の排気ポート７と連通する複数本の独立通路と、独立通路の下流端部が集合した排気集合部と、排気集合部から下流側に延びる１本の共通通路とを有しており、このうちの共通通路の途中部に、上述した触媒装置３５が設けられている。
【００３７】
（２）制御系
次に、エンジンの制御系について説明する。当実施形態のエンジンは、その各部がＥＣＵ（エンジン制御ユニット）５０によって統括的に制御される。ＥＣＵ５０は、周知のとおり、ＣＰＵ、ＲＯＭ、ＲＡＭ等を含むマイクロプロセッサからなるものである。
【００３８】
ＥＣＵ５０には、エンジンの各部に設けられた複数のセンサから種々の情報が入力される。具体的に、当実施形態のエンジンには、そのエンジン本体１のクランク軸１５の回転速度を検出するエンジン速度センサＳＮ１と、エンジン本体１の冷却水の温度を検出する水温センサＳＮ２と、サージタンク２２を通過する吸気の流量を検出するエアフローセンサＳＮ３と、触媒装置３５の温度を検出する触媒温度センサＳＮ４と、触媒装置３５よりも上流側の排気通路３０を流通する排気ガスに含まれる酸素の濃度を検出するリニアＯ2センサからなる酸素濃度センサＳＮ５と、燃料タンク４０に貯留されている燃料の液位を検出する燃料レベルセンサＳＮ６とが設けられている。また、車両には、運転者により操作されるアクセルペダル６０の開度（アクセル開度）を検出するアクセル開度センサＳＮ７が設けられている。ＥＣＵ５０は、これらのセンサＳＮ１〜ＳＮ７と電気的に接続されており、それぞれのセンサから入力される信号に基づいて、上述した各種情報（エンジンの回転速度、冷却水温、吸気流量‥‥など）を取得する。
【００３９】
また、ＥＣＵ５０は、上記各センサＳＮ１〜ＳＮ７からの入力信号に基づいて種々の判定や演算等を実行しつつ、エンジンの各部を制御する。すなわち、ＥＣＵ５０は、インジェクタ１１、点火プラグ１２、およびスロットル弁２５と電気的に接続されており、上記演算の結果等に基づいて、これらの機器にそれぞれ駆動用の制御信号を出力する。
【００４０】
ＥＣＵ５０のより具体的な機能について説明する。ＥＣＵ５０は、本発明に特有の機能的要素として、濃度推定部５０ａおよび冷間運転制御部５０ｂを有している。
【００４１】
濃度推定部５０ａは、燃料タンク４０に貯留されている燃料に含有されるエタノールの濃度を推定するものである。具体的に、濃度推定部５０ａは、エタノール濃度によって理論空燃比が異なるという性質を利用して、燃料中のエタノール濃度を推定する。
【００４２】
図２は、燃料中のエタノール濃度と理論空燃比との関係を示している。本図に示すように、理論空燃比、つまり、混合気中の酸素と燃料とが過不足なく反応するとき（当量比φ＝１のとき）の空燃比は、エタノール濃度が高いほど低下する。例えば、エタノール濃度が０％（ガソリン濃度が１００％）のときの理論空燃比が１４．７であるのに対し、エタノール濃度が１００％（ガソリン濃度が０％）のときの理論空燃比は９．０である。エタノール濃度が０％より高く１００％より低いときは、９．０から１４．７の範囲で任意の値を取り得るが、その値はエタノール濃度が大きいほど小さく（９．０に近く）なる。例えば、エタノール濃度が５０％のおきの理論空燃比は約１１．９である。
【００４３】
上記のようなエタノール濃度に応じた理論空燃比の変化に合わせて、エンジンの通常運転時においては、現在分かっているエタノール濃度を考慮してインジェクタ１１からの燃料噴射量が決定される。例えば、気筒２への吸気充填量が同じでかつ当量比φ（燃料の過濃度合い）の目標値が同じであると仮定すると、エタノール濃度が１００％であるときの燃料の噴射量は、エタノール濃度が０％のときに比べて、約１．６倍（＝１４．７／９．０）に設定される。このとき、エタノール濃度１００％が正しい値であれば、上記約１．６倍の燃料を噴射することで、当量比φは目標値と一致するはずであるが、仮にエタノール濃度１００％が間違った値であれば、当量比φは目標値からずれることになる。この当量比φの目標値からのずれ量は、エタノール濃度の見当違いが大きいほど大きくなる。このため、当量比φのずれ量が分かれば、そのずれ量に基づいて、正しいエタノール濃度を推定することができる。
【００４４】
例えば、真のエタノール濃度が５０％であるにもかかわらず、エタノール濃度が誤って１００％と推定され、その結果、燃料の噴射量がＱに設定されたとする。これに対し、本来必要な噴射量は、真のエタノール濃度５０％に対応する値、つまり０．７６Ｑ（＝Ｑ×９．０／１１．９）である。したがって、上記決定された噴射量Ｑは、本来必要な噴射量に対し０．２４Ｑだけ多いことになる。このような噴射量の余剰は、当量比φのずれとなって現れる（燃料の余剰分０．２４Ｑの分だけ当量比φが大きくなる）ので、その当量比φのずれ量に基づいて、真のエタノール濃度を推定することができる。
【００４５】
ここで、当量比φが目標値からずれているかどうかは、酸素濃度センサＳＮ５の検出値に基づいて判断される。酸素濃度センサＳＮ５は、上述したとおり、触媒装置３５に導入される前の排気ガスに含まれる酸素（Ｏ2）の濃度をリニアに検出するリニアＯ2センサであるので、当該センサが検出する酸素濃度に基づいて、当量比φを特定することができる。つまり、気筒２で燃焼する混合気の空燃比がリッチなほど（つまり当量比φが大きいほど）、多くの酸素が消費されて排気ガス中に含まれる酸素の濃度が低下するので、この酸素濃度の値に基づいて当量比φを特定することができる。
【００４６】
ただし、酸素濃度センサＳＮ５は、そのセンサ素子の性質上、所定の基準温度（製品にもよるが、例えば５００〜６００℃のいずれか）以上にならないと安定した検出精度を出すことができない。このため、上述した当量比φのずれ量に基づくエタノール濃度の推定は、酸素濃度センサＳＮ５が上記基準温度以上の活性状態にあるときにしか行うことができない。例えば、エンジンが冷間始動された直後は、酸素濃度センサＳＮ５の温度が低く、当該センサＳＮ５が未活性状態にある（よって酸素濃度の検出精度が悪い）ので、エタノール濃度を推定することはできない。
【００４７】
以上のように、当実施形態では、酸素濃度センサＳＮ５が活性化しているとき（基準温度以上まで上昇しているとき）に、この酸素濃度センサＳＮ５の検出値に基づいて、ＥＣＵ５０の濃度推定部５０ａによって、燃料に含まれるエタノールの濃度が推定される。このことから、当実施形態では、酸素濃度センサＳＮ５および濃度推定部５０ａにより、本発明にかかる「濃度特定部」が構成されている。
【００４８】
上記濃度推定部５０ａ等によるエタノールの濃度推定はエンジンの運転中に定期的に行われるが、少なくとも、燃料タンク４０に燃料が補充（給油）されたりバッテリが交換されたときには、必ずエタノールの濃度推定が行われる。給油時にエタノールの濃度推定が必要となるのは、給油が行われると、燃料タンク４０内で新旧の燃料が混じり合う結果、真のエタノール濃度が不明となるからである。また、バッテリ交換時にエタノールの濃度推定が必要となるのは、バッテリが交換されると過去の推定値が消去されてしまうからである。なお、給油が行われたか否かは、燃料レベルセンサＳＮ６による検出液位の変動によって知ることができる。
【００４９】
冷間運転制御部５０ｂは、水温センサＳＮ２により検出されるエンジン冷却水の温度が所定の水温閾値（例えば３０℃程度）未満となるエンジンの冷間運転時に必要な種々の制御を実行するものである。例えば、エンジンの冷間運転時は、インジェクタ１１から噴射された燃料の気化性能が悪化するので、通常よりも燃料の噴射量を増大させる等の制御が必要であり、そのような制御を司るのが上記冷間運転制御部５０ｂである。
【００５０】
特に、エンジンが冷間始動された直後であって、触媒装置３５の温度が所定の活性閾値（例えば３００℃程度）未満である場合、冷間運転制御部５０ｂは、触媒装置３５の活性化を早めるＡＷＳ（Accelerated Warm-up System）モードとして、排気ガスの温度が通常よりも上昇するようにインジェクタ１１、点火プラグ１２、およびスロットル弁２５を制御する。
【００５１】
より具体的に、冷間運転制御部５０ｂは、触媒温度センサＳＮ４により検出される触媒装置３５の温度が上記活性閾値未満のときに、触媒装置３５内の触媒が活性化されていないと判定し、上記ＡＷＳモードを実行する。すなわち、触媒は、排気ガス自身の熱や排気ガスとの反応熱によって所定の高温度（ライトオフ温度）まで昇温しなければ、充分な浄化性能を発揮することができない。そこで、冷間運転制御部５０ｂは、特に触媒の温度が低下し易いエンジンの冷間始動時に、触媒温度センサＳＮ４による検出値が活性閾値（上記ライトオフ温度に対応する値）未満であるか否かを判定し、活性閾値未満であるとき（触媒が未活性であるとき）には、触媒の活性化を早めるＡＷＳモードを実行する。
【００５２】
上記ＡＷＳモードでは、触媒が活性化している通常運転時と比べて、インジェクタ１１からの燃料噴射量が増大されるとともに、点火プラグ１２が火花を放電する時期である点火時期がより遅角側に設定される。これにより、気筒２内の熱発生量が増大するとともに、排気損失（排気ガスとともに気筒２の外に捨てられる熱量）が増大するので、排気ガスの温度が上昇し、触媒装置３５の早期活性化が図られる。
【００５３】
（３）ＡＷＳモード時の制御
次に、ＡＷＳモードの実行時に行われる具体的な制御の内容について説明する。ＥＣＵ５０は、エンジンが冷間始動されたとき、触媒温度センサＳＮ４により検出された温度が上記活性閾値未満（つまり触媒装置３５が未活性）か否かを判定し、活性閾値未満である場合には、ＡＷＳモードと両立できない他の制御の要求がないことを確認した上で、ＡＷＳモードを開始する。このような状況は、典型的には、エンジンが冷間始動された直後の軽負荷運転時（特にアイドリング運転時）に起こり得る。
【００５４】
図３（ａ）は、ＡＷＳモードの実行時に設定されるスロットル弁２５の開度（スロットル開度）を、燃料中のエタノール濃度との関係で示した図である。本図に示すように、スロットル開度は、エタノール濃度が比較的低い領域では一定の開度に設定されるが、エタノール濃度が比較的高い領域では、エタノール濃度が高いほど小さい開度に設定される。より具体的に、スロットル開度は、エタノール濃度が０％以上５０％未満の領域で、一定の開度Ｔ１に設定される。一方、エタノール濃度が５０％以上の領域では、スロットル開度が上記開度Ｔ１よりも低下させられ、しかもその値はエタノール濃度が高いほどより低下させられる。ここでは、濃度５０％のときの開度をＴ２、濃度１００％のときの開度をＴ３としている。濃度５０％のときのスロットル開度Ｔ２は、濃度５０％未満のときのスロットル開度Ｔ１よりも小さく、濃度１００％のときのスロットル開度Ｔ３は、全ての濃度領域の中で最も小さい値となる。ＥＣＵ５０は、この図３（ａ）に相当するマップデータと、現在分かっているエタノール濃度の推定値とに基づいて、エタノール濃度に応じたスロットル開度を決定し、その開度に合わせてスロットル弁２５のアクチュエータ２５ｂを駆動する。
【００５５】
上記のようにスロットル開度が設定されることで、気筒２への吸気充填量は、エタノール濃度との関係で図３（ｂ）のように設定される。すなわち、エタノール濃度が０％以上５０％未満の領域では、吸気充填量がＣ１で一定とされ、エタノール濃度が５０％以上１００％以下の領域では、吸気充填量がＣ１よりも減らされ、しかもその低下幅はエタノール濃度が高いほど大きくされる（つまり濃度５０％から１００％にかけて吸気充填量が徐々に減らされる）。その値は、濃度５０％のときでＣ２（＜Ｃ１）、濃度１００％のときでＣ３（＜Ｃ２）である。
【００５６】
また、図３（ｃ）は、ＡＷＳモードの実行時に設定される燃料の噴射量（より詳しくは各気筒２において１サイクル中に噴射されるトータルの燃料量）をエタノール濃度との関係で示した図である。本図に示すように、ＡＷＳモード時の燃料の噴射量は、エタノール濃度５０％を境にステップ状に低下することを除けば、総じてエタノール濃度が高いほど増やされる。より具体的に、燃料の噴射量は、エタノール濃度が０％以上５０％未満の範囲において、濃度に比例して徐々に増やされ、濃度５０％になると一旦減らされる。そして、濃度５０％以上１００％以下の範囲では、再びエタノール濃度に比例して燃料の噴射量が徐々に増やされる。エタノール濃度０％のときの噴射量をＱ１、５０％のときの噴射量をＱ２、１００％のときの噴射量をＱ３とすると、Ｑ２はＱ１より大きく、Ｑ３はＱ２より大きい。
【００５７】
ここで、図３（ｃ）に示した噴射量は、図３（ｄ）に示すような目標空燃比を実現するために設定されたものである。すなわち、ＥＣＵ５０は、エアフローセンサＳＮ３の検出値から各気筒２への吸気充填量（図３（ｂ））を特定するとともに、この吸気充填量と目標空燃比（図３（ｄ））とに基づいて、当該目標空燃比が実現されるような燃料の噴射量を演算により決定する。さらに、酸素濃度センサＳＮ５の検出値に基づき特定される実測空燃比に基づいて、実測空燃比が正しく目標空燃比に一致するように燃料の噴射量を補正する。このように、ＥＣＵ５０は、酸素濃度センサＳＮ５の検出値（実測空燃比）を利用したフィードバック制御により、図３（ｄ）に示した目標空燃比が正確に実現されるように燃料の噴射量を決定し、その噴射量に応じた期間だけ開弁するようにインジェクタ１１を制御する。そして、このような制御の結果として、燃料の噴射量がエタノール濃度に応じて図３（ｃ）に示すようなプロフィールをとるように設定される。なお、エタノール濃度５０％のときに噴射量がステップ状に低下するのは、同５０％を境に吸気充填量がＣ１からＣ２に低下することに対応している。
【００５８】
上記目標空燃比は、気筒２内の平均の空燃比、つまり、気筒２への吸気充填量をインジェクタ１１からの総噴射量で割った値の目標値であって、図３（ｄ）に示すように、エタノール濃度に応じた値に設定される。具体的に、ＡＷＳモードのときの目標空燃比は、理論空燃比（当量比φ＝１となる空燃比）よりもリッチな値に設定され、しかもそのリッチ度合いは、エタノール濃度が高いほど大きくされる（φ＝１のラインの傾きよりも目標空燃比のラインの傾きが大きいことが、そのことを表している）。
【００５９】
なお、酸素濃度センサＳＮ５は、上述したとおり、所定の基準温度（例えば５００〜６００℃）まで昇温しないと検出精度が安定しない。このため、酸素濃度センサＳＮ５の温度が上記基準温度未満となる冷間始動後のごく短い期間に限れば、上記のようなフィードバック制御は不可能となる。このようなフィードバック制御が不能な期間については、酸素濃度センサＳＮ５の検出値（実測空燃比）によらないオープンループ制御により噴射量を決定することになる。この場合は、安全を見越して（失火を確実に防ぐために）、目標空燃比を図３（ｄ）よりもさらにリッチ側に設定するのがよい。
【００６０】
図３（ｃ）のようにして決定された噴射量に相当する燃料は、図４に示すように、吸気行程と圧縮行程とに２分して噴射される。図４において、吸気行程と圧縮行程の各領域に図示されたハッチングの区間は、インジェクタ１１が開弁される区間、つまり噴射パルス幅を表している。上述したように、各気筒２において１サイクル中に噴射されるトータルの燃料量は、エタノール濃度が０〜５０％の範囲と、５０〜１００％の範囲とにおいて、それぞれエタノール濃度が高いほど増やされるので、吸気行程および圧縮行程のそれぞれの噴射パルス幅の合計は、エタノール濃度に応じて変化する。図４には、代表的に、エタノール濃度０％、５０％、１００％のときの噴射パルス幅を図示している。濃度０％のときの噴射量Ｑ１、５０％のときの噴射量Ｑ２、および１００％のときの噴射量Ｑ３は、Ｑ１＜Ｑ２＜Ｑ３の関係であるので、このことに対応して、噴射パルス幅の合計は、濃度０％、５０％、１００％の順に大きくなっている。
【００６１】
行程別に噴射パルス幅を比較すると、吸気行程中の噴射パルス幅は、エタノール濃度０％、５０％、１００％の順に大きくなっている。一方、圧縮行程中の噴射パルス幅は、エタノール濃度５０％のときの噴射パルス幅の方が０％のときよりも大きいのに対し、エタノール濃度１００％のときの噴射パルス幅は５０％のときと変わっていない。このことから、吸気行程中の燃料の噴射量は、エタノール濃度に応じて常に変化するのに対し、圧縮行程中の燃料の噴射量は、必ずしもエタノール濃度に応じて変化するわけではなく、濃度範囲によってはエタノール濃度にかかわらず一定に維持されるということが分かる。
【００６２】
より具体的に、当実施形態では、エタノール濃度が０％以上５０％未満の範囲のとき、吸気行程および圧縮行程での各噴射量は、ともにエタノール濃度が高いほど増大される。一方、エタノール濃度が５０％以上１００％以下の範囲では、吸気行程中の噴射量がエタノール濃度が高いほど増大されるのに対し、圧縮行程中の噴射量はエタノール濃度にかかわらず一定に維持される。
【００６３】
図５は、圧縮行程中に噴射された燃料の噴霧の動きを示した説明図である。本図に示すように、インジェクタ１１から圧縮行程中に噴射された燃料は、図中の矢印Ｆｓのように、斜め下方へと向かう噴霧となってピストン５の上面に向けて飛翔する。このとき、ピストン５の位置によっては、燃料噴霧の少なくとも一部がピストン５上面の中央部に設けられたキャビティ１７に入り込む。キャビティ１７に入り込んだ噴霧は、上方に反転して点火プラグ１２の電極部に近傍へと移動しようとするので、燃料の多くは、点火プラグ１２の電極部の近傍に集中する。このように点火プラグ１２の近傍に集約された燃料は、吸気行程中に先行して噴射された燃料（この燃料は気筒２内にまんべんなく分布している）と合わさることで、成層化された混合気、つまり、点火プラグ１２の電極部近傍がリッチで電極部から離れるとリーンになる混合気を形成する。
【００６４】
成層化された混合気は、ピストン５が圧縮上死点を過ぎてから行われる点火プラグ１２の火花点火により強制着火されて燃焼する（成層燃焼）。このとき、点火プラグ１２の近傍の空燃比が特にリッチであることから、エンジンの冷間始動直後のＡＷＳモードであるにもかかわらず、混合気の着火性は充分に確保され、失火が防止される。しかも、火花点火の時期が遅めに設定されることから、排気損失が増大し、排気ガスの温度が上昇する。これにより、触媒装置３５が迅速に暖められ、その早期活性化が図られる。
【００６５】
ここで、図５に矢印Ｆｓで示したように、インジェクタ１１から噴射された燃料の少なくとも一部をピストン５上面のキャビティ１７に入り込ませようとすれば、ピストン５の位置がある特定のクランク角範囲に存在している必要がある。この特定のクランク角範囲は、少なくとも圧縮行程の後半（圧縮上死点前９０〜０°ＣＡ）に含まれる。図４に示したように、圧縮行程中に噴射される燃料の噴射パルス幅（噴射開始から終了までの期間）が圧縮行程後半の一部に限られているのは、このためである。すなわち、圧縮行程中の噴射パルス幅は、燃料の少なくとも一部をキャビティ１７に入り込ませるために、いずれも上記特定のクランク角範囲（圧縮行程後半の所定期間）に含まれている。特に、エタノール濃度５０％、１００％のときの噴射パルス幅は、上記特定のクランク角範囲に目一杯含まれるように設定されており、噴霧がキャビティ１７に入り込む下限のピストン位置から上限のピストン位置までの間に対応するクランク角範囲に設定されている。
【００６６】
（４）作用等
以上説明したように、当実施形態の火花点火式エンジンは、エタノール、ガソリン、またはこれらの混合燃料を貯留する燃料タンク４０と、この燃料タンク４０から供給される燃料を気筒２に噴射するインジェクタ１１と、噴射された燃料に点火する点火プラグ１２と、気筒２への吸気充填量を調節するスロットル弁２５（吸気調節手段）と、インジェクタ１１、点火プラグ１２、スロットル弁２５等を制御するＥＣＵ５０とを備える。さらに、ＥＣＵ５０は、インジェクタ１１に供給される燃料に含まれるエタノールの濃度を酸素濃度センサＳＮ５の検出値に基づき推定する機能（濃度推定部５０ａ）と、エンジンの冷間始動後、触媒装置３５を迅速に暖めるためのＡＷＳモードとして、排気ガスを上昇させるための所定の制御を実行する機能（冷間運転制御部５０ｂ）とを有している。
【００６７】
特に、上記推定されたエタノール濃度が５０％以上１００％以下であるときのＡＷＳモードでは、図３（ａ）（ｂ）に示したように、エタノール濃度が高いほど（１００％に近いほど）吸気充填量が少なくなるようにスロットル弁２５が制御されるとともに、点火プラグ１２の近傍ほどリッチな混合気が形成されるように吸気行程と圧縮行程とに分けてインジェクタ１１から燃料が噴射される（図４）。このうち、少なくとも吸気行程中に噴射される燃料の量は、上記エタノール濃度が高いほど増大される。
【００６８】
このような構成によれば、燃料の供給系を簡略化しつつ、冷間始動時の燃焼安定性を確保できるという利点がある。
【００６９】
すなわち、上記実施形態では、エンジンの冷間始動後に行われるＡＷＳモードの実行中に、圧縮行程と吸気行程とに分けて燃料が噴射されることにより、点火プラグ１２の近傍が特にリッチになる成層化された混合気が形成されるので、気筒２の壁面温度が低い状態であっても、点火プラグ１２の火花点火をきっかけに混合気を確実に着火させることができる。しかも、ガソリンよりも気化性能が悪いエタノールの濃度が高い場合には、気筒２への吸気充填量が減らされるとともに、吸気行程中の燃料の噴射量が増やされるので、吸気行程中における気筒２内の圧力を低下させて強い負圧を発生させながら、その環境下により多くの燃料を噴射することにより、噴射した燃料を確実に気化させることができる。さらに、高アルコール濃度時に吸気行程中の燃料の噴射量が増やされることで、圧縮行程中の噴射量については特に増大させる必要がないので、圧縮行程中の噴射期間が混合気を成層化するための適正期間（圧縮行程後半の所定のクランク角範囲）を外れるのを回避することができる。これにより、着火性に有利な成層化された混合気を確実に気筒２内に形成しつつ、主に吸気行程中の噴射量の調節によってエタノール濃度に応じた適切な量の燃料を噴射し、これを確実に気化させて燃焼させることができる。
【００７０】
このように、上記実施形態の構成によれば、燃料タンク４０に貯留された燃料のエタノール濃度が高かったとしても、失火を確実に防止することができるので、例えばガソリン濃度の高い燃料を貯留する専用の燃料タンクを通常の燃料タンクとは別に設けるといった措置をとらなくても、冷間始動時（ＡＷＳモード）のときの燃焼安定性を充分に確保することができる。
【００７１】
図６（ａ）〜（ｃ）は、ある特定の運転条件におけるエンジンのブースト圧（気筒２に吸入される空気の圧力）、未燃燃料量、および燃焼安定性指標が、吸気充填量との関係でどのように変化するかを示したグラフである。各グラフにおいて、エタノール濃度および空燃比（当量比φ）はともに同一であるとする。このため、吸気充填量が多いグラフ右側ほど、燃料の噴射量も多いことになる。また、図６（ｃ）の燃焼安定性指標とは、エンジンの図示平均有効圧の最小値を同有効圧の平均値で割った値のことであり、縦軸の上側ほど燃焼安定性が良好なことを表す。
【００７２】
上記実施形態のようにスロットル弁２５を用いて吸気充填量を減らすことは、図６（ａ）〜（ｃ）において、吸気充填量をＹからＸに変化させることを意味する。このうち、図６（ａ）（ｃ）から明らかなように、吸気充填量が減少すれば、これに伴いブースト圧が減少し、燃焼安定性が改善される。これは、吸気充填量が減らされることで、吸気行程中の気筒２内の圧力が低くなり（負圧が強くなり）、それに伴い吸気行程中に噴射された燃料の気化性が改善されたためである。さらに、吸気充填量の減少および気化性能の改善に伴って未燃燃料量も減少するので、主に未燃燃料が原因で生じるＨＣやＣＯの発生量を削減することができ、エミッション性を向上させることができる。
【００７３】
また、上記実施形態では、ピストン５の上面に、圧縮行程後半の特定のクランク範囲に噴射された燃料が入り込む凹状のキャビティ１７が設けられるとともに、当該キャビティ１７の上方に点火プラグ１２が設けられている。このような構成によれば、圧縮行程中に噴射される燃料の噴射期間を上記特定のクランク角範囲に収めることにより、噴射された燃料の噴霧をキャビティ１７に入り込ませることができるので、点火プラグ１２の周りに確実にリッチな混合気を形成し、着火性を改善することができる。
【００７４】
一方で、圧縮行程中に噴射すべき燃料量が多すぎると、例えば図４に２点鎖線で示すＺ部に示すように、噴射期間が上記特定のクランク角範囲に収まり切らなくなり、燃料の噴霧がキャビティ１７から外れてしまうことになる。これに対し、上記実施形態では、エタノール濃度が高いときは吸気行程中の燃料の噴射量が増やされるので、圧縮行程中の噴射量を極端に多くする必要がない。このため、噴霧がキャビティ１７から外れる上記のような事態を回避して、点火プラグ１２の近傍に確実にリッチな混合気を形成することができる。
【００７５】
また、上記実施形態では、ＡＷＳモード時に、気筒２内の平均の空燃比（目標空燃比）が理論空燃比よりもリッチになるようにインジェクタ１１からの燃料の噴射量が決定され（図３（ｃ）（ｄ））、しかも上記平均空燃比の理論空燃比に対するリッチ度合いが、エタノール濃度が高いほど増大される。このような構成によれば、気化性能が悪いエタノールの濃度が高ければ、これに応じて気筒２内の平均空燃比が大幅にリッチにされるので、エタノール濃度にかかわらず充分な着火性を確保することができる。このことは、上述した混合気の成層化と相俟って、失火をより確実に回避することにつながるので、ＡＷＳモードのような冷間運転時であっても充分な燃焼安定性を確保することができる。
【００７６】
なお、上記実施形態では、エンジンが冷間始動された直後のＡＷＳモード（触媒活性促進のために排気ガス温度を上昇させる制御）のときに吸気充填量および燃料噴射量がどのように制御されるかを主に図３、図４に基づき説明したが、図３、図４に示すような制御は、基本的に、ＡＷＳモード時に限らず、着火性の厳しい冷間運転時（エンジン冷却水の温度が所定値未満となる運転時）において全般的に適用することができる。ただし、ＡＷＳモードでは、排気ガスの温度を上昇させるために燃料の噴射量をかなり多めにする必要があるので、図３、図４のような制御は特に重要となる。
【００７７】
また、上記実施形態では、エタノール濃度が５０％以上１００％以下の範囲にあるときに限って、エタノール濃度が高いほど吸気充填量を減らす（濃度５０％未満のときには吸気充填量を一定に維持する）ようにしたが（図３（ａ）（ｂ））、全てのエタノール濃度範囲において、吸気充填量をエタノール濃度に比例して徐々に減らすようにしてもよい。また、図３（ａ）（ｂ）のようにある特定のエタノール濃度を境に吸気充填量の設定の仕方を変える場合でも、その境界となるエタノール濃度は５０％に限られず、適宜変更可能である。
【００７８】
また、上記実施形態では、エタノール濃度を特定する濃度特定部として、排気ガス中の酸素濃度を検出する酸素濃度センサＳＮ５と、当該センサＳＮ５の検出値から求まる空燃比に基づく演算により燃料中のエタノール濃度を推定する濃度推定部５０ａとを設けたが、上記濃度特定部はエタノール濃度を特定できるものであればよく、例えば、エタノール濃度を直接的に検出するアルコール濃度センサを濃度特定部として用いてもよい。アルコール濃度センサは、アルコール濃度に応じて出力が変化するセンサであり、例えば燃料タンク４０内の燃料に浸漬された状態で使用される。
【００７９】
また、上記実施形態では、燃料としてエタノール、ガソリン、またはこれらの混合燃料を使用することを想定したが、ガソリン以外の燃料はアルコールであればよく、エタノールに代えてメタノールを使用してもよい。
【符号の説明】
【００８０】
１  エンジン本体
２  気筒
５  ピストン
１１  インジェクタ
１２  点火プラグ
１７  キャビティ
２５  スロットル弁（吸気調節手段）
５０ａ  濃度推定部（濃度特定部）
５０ｂ  冷間運転制御部
【図１】
2014196696.tif 000003
【図２】
2014196696.tif 000004
【図３】
2014196696.tif 000005
【図４】
2014196696.tif 000006
【図５】
2014196696.tif 000007
【図６】
2014196696.tif 000008